(57)【要約】本発明は、食品及び医薬産業において特に使用するためのプラスチックバッグ又はサックに係る。バッグ（２）は内側及び外側バッグ部（４、１４）を含み、これらは、例えばヒートシールによって、必要な時には分離可能であるよう少なくとも上部部分において接合される。外側バッグ部（１４）は、口（１０）が設けられる得、この口を介して必要なときに内部のバッグ部が引き出し可能である。或いは、外側バッグ部が内側バッグ部から剥がされてもよい。内側バッグ部は、内側部分に内容物を保持するよう内容物を充填した後ヒートシールされる。ヒートシール段階は更に、上述したようにバッグ部を互いに固定するよう機能する。内側バッグ部には、端から離れた封止可能な口（１３２）が設けられることが好適であり、この口を介して内容物が分配されうる。
2007516131.tif 000002
【特許請求の範囲】
【請求項１】
ｉ）第１及び第２の対向する壁を含むカバー部と、
ｉｉ）その側縁及び底縁において接合される第３及び第４の対向する壁と、バッグ部内に内容物が充填されうるようにする開放端とを含む該バッグ部と、
ｉｉｉ）使用時に前記バッグ部の内部にアクセスするために前記バッグ部の壁に画成される封止可能な口と、
ｉｖ）前記カバー部の端部と、前記バッグ部の前記開放端に近接する前記バッグ部の端部とを含み、前記口とは異なる封止可能領域と、
を含み、
前記第１の壁及び前記第２の壁は、前記バッグ部を囲むよう構成され、
前記封止可能領域において、前記バッグ部は、充填後にシールされ得、
前記封止可能領域において、前記第１の壁及び前記第２の壁のうち少なくとも１つの壁の内面は、前記バッグ部の壁の隣接する外面に取り付けられる及び／又は取付け可能であり、
該取付けは、前記バッグ部が、使用時に、前記封止可能領域における前記バッグ部の密封を妥協することなく前記カバー部から分離可能であるような取付けであるプラスチックバッグ。
【請求項２】
前記バッグ部の前記開放端は、前記封止可能領域において前記バッグ部の壁を互いにヒートシールすることによって充填後に動作可能にシールされうる請求項１記載のプラスチックバッグ。
【請求項３】
前記封止可能領域における前記カバー部の前記バッグ部への取付けのために、前記カバー部の前記第１の壁及び前記第２の壁のうち少なくとも１つの壁の内面は、前記封止可能領域におけるヒートシールによってバッグ部壁の少なくとも１つの外面に取付け可能である請求項１又は２記載のプラスチックバッグ。
【請求項４】
前記第１の壁の内面と、前記第２の壁の内面と、前記バッグ部壁の各外面とからなる群から選択される少なくとも１つの部材は、前記封止可能領域において第１の被処理領域を含み、
前記第１の被処理領域は、前記カバー部と前記バッグ部との間のヒートシールの強度を制限するよう効果的である請求項３記載のプラスチックバッグ。
【請求項５】
前記第１の被処理領域は、プリント領域を含み、
前記プリント領域は、ヒートシールに対し耐性を示す請求項４記載のプラスチックバッグ。
【請求項６】
前記第１の壁及び前記第２の壁は更に、前記封止可能領域以外の領域において前記バッグ部壁にそれぞれ分離可能に取り付けられる請求項１乃至５のうちいずれか一項記載のプラスチックバッグ。
【請求項７】
前記第１の壁及び前記第２の壁は、前記分離可能に取り付けられる領域において前記バッグ部壁にそれぞれ着脱可能にヒートシールされる請求項６記載のプラスチックバッグ。
【請求項８】
前記第１の壁及び前記隣接バッグ部壁のうちの少なくとも１つの壁、及び／又は、前記第２の壁及び前記隣接バッグ部壁のうち少なくとも１つの壁は、第２の被処理領域を含み、
前記第２の被処理領域は、前記分離可能に取り付けられる領域において、前記第１の壁及び第３の壁と前記第２の壁及び前記第４の壁のそれぞれの間のヒートシールの強度を制限するよう効果的である請求項１乃至７のうちいずれか一項記載のプラスチックバッグ。
【請求項９】
前記第２の被処理領域は、プリント領域を含み、
前記プリント領域は、ヒートシールに対し耐性を示す請求項８記載のプラスチックバッグ。
【請求項１０】
前記第１の被処理領域は、前記第１の壁及び／又は前記第２の壁の内面全体に亘って延在する請求項３乃至５のうちいずれか一項記載のプラスチックバッグ。
【請求項１１】
前記第１の壁及び前記第２の壁は更に、前記封止可能領域以外の領域において前記バッグ部壁にそれぞれ分離可能に取り付けられる請求項１０記載のプラスチックバッグ。
【請求項１２】
前記第１の壁及び前記第２の壁は、前記分離可能に取り付けられる領域において前記バッグ部壁にそれぞれ着脱可能にヒートシールされる請求項１１記載のプラスチックバッグ。
【請求項１３】
前記被処理領域において、交互のプリント領域と非プリント領域を含む請求項５に従属する場合の請求項５、９又は１０記載のプラスチックバッグ。
【請求項１４】
前記プリント領域の面積は、前記非プリント領域の面積より大きい請求項１３記載のプラスチックバッグ。
【請求項１５】
前記プリント領域及び前記非プリント領域は、前記封止可能領域全体に及び／又は前記分離可能に取り付けられる領域全体にストライプを画成するよう交互にされる請求項１３又は１４記載のプラスチックバッグ。
【請求項１６】
前記非プリント領域は、約２ｍｍ未満の幅を有する請求項１３乃至１５のうちいずれか一項記載のプラスチックバッグ。
【請求項１７】
前記プリント領域は、約１０ｍｍ未満の幅を有する請求項１３乃至１６のうちいずれか一項記載のプラスチックバッグ。
【請求項１８】
前記被処理領域は、１つ以上の前記壁のエンボス加工された領域を含む請求項４又は８記載のプラスチックバッグ。
【請求項１９】
前記カバー部は、前記カバー部が前記バッグ部の前記底縁を超えて延在するよう前記バッグ部より長く、
前記第１の壁及び前記第２の壁は、前記長さ方向に延在する部分において互いに接合される請求項１乃至１８のうちいずれか一項記載のプラスチックバッグ。
【請求項２０】
前記カバー部の幅は、前記カバー部が前記バッグ部の前記側縁を超えて延在するよう前記バッグ部の幅より大きく、
前記第１の壁及び前記第２の壁は、前記幅方向に延在する部分において互いに接合される、請求項４に従属する場合の請求項１乃至５、請求項１８のうちいずれか一項、又は、請求項５に従属する場合の請求項８乃至１８のうちいずれか一項、又は、請求項１乃至５のうちいずれか一項に従属する場合の請求項１９に記載されるプラスチックバッグ。
【請求項２１】
前記カバー部の幅は、前記カバー部が前記バッグ部の前記側縁を超えて延在するよう前記バッグ部の幅より大きく、
前記第１の壁及び前記第２の壁は、前記幅方向に延在する部分において互いに接合される請求項６又は請求項６に従属する任意の請求項に記載されるプラスチックバッグ。
【請求項２２】
前記バッグ部の壁に画成される前記口の上に横たわり前記口を閉じる第１のクロージャフラップを更に含み、
前記第１のクロージャフラップは、第１の取付け領域と、任意選択的に第２の取付け領域とを含み、
前記第１の取付け領域は、前記第１のクロージャフラップの少なくとも一部が、前記口を露出するよう該剥離可能な取付け領域に亘って前記バッグ部壁から剥がされうるよう前記バッグ部壁に剥離可能に取り付けられ、
前記第２の取付け領域は、前記剥離可能な取付け領域から間隔が置かれ、
前記第２の取付け領域では、前記第１のクロージャフラップは更に、前記バッグ部壁に取り付けられる請求項１乃至２１のうちいずれか一項記載のプラスチックバッグ。
【請求項２３】
前記バッグ部の壁に画成される前記口の上に横たわり前記口を閉じる第１のクロージャフラップを更に含み、
前記第１のクロージャフラップは、前記バッグ部壁に取り付けられる第１の領域を含み、
前記第１のクロージャフラップは、前記第１のクロージャフラップの引き裂くことの可能な部分を画成する少なくとも１本の脆弱線と、任意選択的に第２の取付け領域とを含み、
前記引き裂くことの可能な部分では、前記第１のクロージャフラップは、前記バッグ部壁に取り付けられず、
前記引き裂くことの可能な部分は、前記口を露出するよう前記脆弱線に沿って引き裂くことによって開けることが可能であり、
前記第２の取付け領域は、前記引き裂くことの可能な部分から間隔が置かれ、
前記第２の取付け領域では、前記第１のクロージャフラップは更に、前記バッグ部壁に取り付けられる請求項１乃至２１のうちいずれか一項記載のプラスチックバッグ。
【請求項２４】
前記第１のクロージャフラップは、前記封止可能領域内に延在する請求項２２又は２３記載のプラスチックバッグ。
【請求項２５】
第１の被処理領域は、前記バッグ部の被処理領域ではなく前記第１のクロージャフラップ上に形成される請求項４に従属する場合の請求項２４、又は、請求項４に従属する任意の請求項に記載のプラスチックバッグ。
【請求項２６】
前記カバー部の前記第１の壁及び前記第２の壁のうちの１つ又は両方の壁は、前記バッグ部の前記開放端に近接する前記バッグ部に接着される請求項１乃至２５のうちいずれか一項記載のプラスチックバッグ。
【請求項２７】
前記カバー部は、前記封止可能領域の周縁部分において前記バッグ部に接着される請求項２６記載のプラスチックバッグ。
【請求項２８】
使用時に前記バッグ部にアクセスするために前記カバー部の前記第１の壁又は前記第２の壁内に画成される第２の封止可能な口を更に含む請求項１乃至２７のうちいずれか一項記載のプラスチックバッグ。
【請求項２９】
第１の領域と第２の取付け領域とを含む第２のクロージャフラップを更に含み、
前記第１の領域は、前記クロージャフラップの少なくとも一部が、該剥離可能な取付け領域に亘って前記カバー部壁から剥がされうるよう前記カバー部壁に剥離可能に取り付けられ、
前記第２の取付け領域は、前記剥離可能な取付け領域から間隔が置かれ、
前記第２の取付け領域では、前記第２のクロージャフラップは更に、前記カバー部壁に取り付けられる請求項１乃至２８のうちいずれか一項記載のプラスチックバッグ。
【請求項３０】
前記カバー部壁に取り付けられる第１の領域を含む第２のクロージャフラップを含み、
前記第２のクロージャフラップは、前記第２のクロージャフラップの引き裂くことの可能な部分を画成する少なくとも１本の脆弱線と、第２の取付け領域とを含み、
前記引き裂くことの可能な部分では、前記第２のクロージャフラップは、前記カバー部壁に取り付けられず、
前記引き裂くことの可能な部分は、前記脆弱線に沿って引き裂くことによって開けることが可能であり、
前記第２の取付け領域は、前記引き裂くことの可能な部分から間隔が置かれ、
前記第２の取付け領域では、前記第２のクロージャフラップは更に、前記カバー部壁に取り付けられる請求項１乃至２９のうちいずれか一項記載のプラスチックバッグ。
【請求項３１】
前記第２のクロージャフラップは、前記第２の口を覆うよう構成される請求項２８に従属する場合の請求項２９又は３０記載のプラスチックバッグ。
【請求項３２】
前記バッグ部から前記カバー部を分離する際に、前記第１の壁又は前記第２の壁を掴むことを容易にするために、前記第１の壁又は前記第２の壁内に又は上に形成される又は前記第１の壁又は前記第２の壁に取り付けられるグリップ手段を更に含む請求項１乃至２８のうちいずれか一項記載のプラスチックバッグ。
【請求項３３】
ｉ）請求項１乃至３２のうちいずれか一項記載のバッグを供給する段階と、
ｉｉ）前記バッグの前記開放端を通して流動性を有する製品を前記バッグ部内に充填する段階と、
ｉｉｉ）前記バッグ部をシールするよう前記バッグ部壁を互いにヒートシールし、また、前記カバー部と前記バッグ部を互いに分離可能に取り付けるよう前記バッグ部壁に前記第１の壁及び／又は前記第２の壁をヒートシールするよう前記封止可能領域にヒートシール手段を適用する段階と、
を含む該流動性を有する製品を取り扱う方法。
【請求項３４】
ｉｖ）前記封止可能領域において前記バッグ部から前記カバー部を分離する段階と、
ｖ）必要である場合に、前記封止可能領域以外において前記バッグ部から前記カバー部を分離する段階と、
ｖｉ）前記カバー部から前記バッグ部を引き出す段階と、
を更に含む請求項３３記載の方法。
【請求項３５】
ｉ）第１及び第２の対向する壁を含むカバー部と、
ｉｉ）その側縁及び底縁において接合される第３及び第４の対向する壁を含むバッグ部を含む製品と、
ｉｉｉ）使用時に前記バッグ部の内部にアクセスするために前記バッグ部の壁に画成される封止可能な口と、
ｉｖ）前記カバー部の端部と、前記バッグ部の端部とを含み、前記口とは異なるシール領域と、
を含み、
前記第１の壁及び前記第２の壁は、前記バッグ部を取り囲むよう構成され、
前記シール領域において、前記バッグ部は、前記バッグ部を製品で充填した後にシールされ、
前記シール領域において、前記第１の壁及び前記第２の壁のうち少なくとも１つの壁の内面は、前記バッグ部の壁の隣接する外面に取り付けられ、
該取付けは、前記バッグ部が、使用時には、前記シール領域における前記バッグ部の子シールを妥協することなく前記カバー部から分離可能であるような取付けであるプラスチックバッグ。
【請求項３６】
前記シール領域において、前記カバー部の前記第１の壁及び前記第２の壁は、前記バッグ部壁をシールするヒートシールと同時に形成されるヒートシールによって前記バッグ部の各バッグ部壁の前記外面のうちの少なくとも１つの外面に取り付けられる請求項３５記載のプラスチックバッグ。
【請求項３７】
前記第１の壁の前記内面、前記第２の壁の前記内面、及び前記バッグ部壁の前記外面のうちの少なくとも１つの面は、前記シール領域において被処理領域を含み、
前記被処理領域は、前記カバー部と前記バッグ部との間の前記ヒートシールの強度を制限するよう効果的である請求項３６記載のプラスチックバッグ。
【請求項３８】
前記バッグ部の壁に画成される前記口の上に横たわり前記口を閉じる第１のクロージャフラップを更に含み、
前記第１のクロージャフラップは、第１の取付け領域と、任意選択的に第２の取付け領域とを含み、
前記第１の取付け領域は、前記第１のクロージャフラップの少なくとも一部が、前記口を露出するよう該剥離可能な取付け領域に亘って前記バッグ部壁から剥がされうるよう前記バッグ部壁に剥離可能に取り付けられ、
前記第２の取付け領域は、前記剥離可能な取付け領域から間隔が置かれ、
前記第２の取付け領域では、前記第１のクロージャフラップは更に、前記バッグ部壁に取り付けられる請求項３５乃至３７のうちいずれか一項記載のプラスチックバッグ。
【請求項３９】
前記バッグ部の壁に画成される前記口の上に横たわり前記口を閉じる第１のクロージャフラップを更に含み、
前記第１のクロージャフラップは、前記バッグ部壁に取り付けられる第１の領域を含み、
前記第１のクロージャフラップは、前記第１のクロージャフラップの引き裂くことの可能な部分を画成する少なくとも１本の脆弱線と、任意選択的に第２の取付け領域とを含み、
前記引き裂くことの可能な部分では、前記第１のクロージャフラップは、前記バッグ部壁に取り付けられず、
前記引き裂くことの可能な部分は、前記口を露出するよう前記脆弱線に沿って引き裂くことによって開けることが可能であり、
前記第２の取付け領域は、前記引き裂くことの可能な部分から間隔が置かれ、
前記第２の取付け領域では、前記第１のクロージャフラップは更に、前記バッグ部壁に取り付けられる請求項３５乃至３７のうちいずれか一項記載のプラスチックバッグ。
【請求項４０】
前記第１のクロージャフラップは、前記封止可能領域内に延在する請求項３８又は３９記載のプラスチックバッグ。
【請求項４１】
第１の被処理領域は、前記バッグ部の被処理領域ではなく前記第１のクロージャフラップ上に形成される請求項３７に従属する場合の請求項４０記載のバッグ。
【請求項４２】
図１乃至８のうちいずれか一項を参照して上述したようなプラスチックバッグ。
【発明の詳細な説明】
【発明の詳細な説明】
【０００１】
本発明は、バッグ及びサック、特に、食品及び医薬産業における使用、特に、粉末状又は粒状材料、他の流動性を有する固体材料等の保管及び運搬のためのプラスチックバッグ及びサックに係る。
【０００２】
食品及び医薬産業は、必然的に原料及び成分、並びに商業的ユーザ及び消費者に販売される最終生成品の取り扱いに厳しい要件を課す。これらの要件は、埃、汚れ、又は他の異物による、又は、例えばバクテリアによる汚染を阻止するために必要不可欠である。従来のバッグ及びサックは、縫うことによって閉じられる紙ベースの材料からなる少なくとも１つの層、通常は、外層を使用する傾向がある。このような種類の構成は、バッグを開けたときに、紙片又は縫い糸の一部がバッグの内容物に接触し内容物と混ぜ合わさってしまう可能性があるという顕著な不利点を有する。他のバッグはプラスチック材料から形成されるが、バッグの封鎖は、内容物を得るためにはバッグはしばしば切り開かれなければならないという同様の問題を有する。これは、切断段階からのプラスチックの破片がバッグの内容物に接触可能である危険性を有する。
【０００３】
本発明は、切断を必要とせず、また、開封時にプラスチック又は他の材料の破片又はかけらを発生しない容易に開けられるクロージャを有するプラスチックバッグ又はサックを提供することによってこれらの問題を解決することを目的とする。本発明は更に、バッグが開封されるべき時まで、例えば、運搬及び保管の間に製品が含むバッグの部分が清潔で衛生的な環境内に維持されるプラスチックバッグ又はサックを提供することを目的とする。より具体的には、本発明は、内側バッグ部と外側カバー部を含み、両部分は、内側部が内容物で充填された後に封止可能であり、内側バッグ部は、内側バッグ部の封止を妨害することなく外側部から着脱可能又は分離可能であるバッグを提供する。
【０００４】
本発明の第１の面では、ｉ）第１及び第２の対向する壁と含むカバー部と、ｉｉ）その側縁及び底縁において接合される第３及び第４の対向する壁と、バッグ部内に内容物が充填されうるようにする開放端とを含むバッグ部と、ｉｉｉ）使用時にバッグ部の内部にアクセスするためにバッグ部の壁に画成される封止可能な口と、ｉｖ）カバー部の端部と、バッグ部の開放端に近接するバッグ部の端部とを含み、口とは異なる封止可能な領域を含み、第１の壁及び第２の壁は、バッグ部を囲むよう構成され、封止可能領域において、バッグ部は、充填後にシールされ得、封止可能領域において、第１の壁及び第２の壁のうち少なくとも１つの壁の内面は、バッグ部の壁の隣接する外面に取り付けられる及び／又は取付け可能であり、該取付けは、バッグ部が、使用時には、封止可能領域におけるバッグ部のシールを妥協することなくカバー部から分離可能であるような取付けであるプラスチックバッグを提供する。
【０００５】
バッグ部の開放端は、封止可能領域においてバッグ部の壁を互いにヒートシールすることによって充填後に動作可能にシールされうることが好適である。
【０００６】
本発明の１つの好適な実施例では、封止可能領域におけるカバー部のバッグ部への取付けのために、カバー部の第１の壁及び第２の壁のうち少なくとも１つの壁の内面は、封止可能領域におけるヒートシールによってバッグ部壁の少なくとも１つの外面に取付け可能である。このヒートシールは、封止可能領域においてバッグ部壁が互いにシールされる同じ動作において行われることが好適である。
【０００７】
第１の壁の内面と、第２の壁の内面と、バッグ部壁の各外面とからなる群から選択される少なくとも１つの部材は、封止可能領域において第１の被処理領域を含み、第１の被処理領域は、カバー部とバッグ部との間のヒートシールの強度を制限するよう効果的であることが好適である。従って、カバー部及び／又はバッグ部の壁のうちの少なくとも１つの壁は、そのような第１の被処理領域を含み、それにより、結果として得られるヒートシールの強度は、ユーザによるカバー部からバッグ部の意図的な分離を阻止するには不十分である。しかし、ヒートシールは、カバー部とバッグ部との分離が所望されるまで封止可能領域においてカバー部とバッグ部との間の結合を維持するには十分に強い。
【０００８】
特に好適な実施例では、第１の被処理領域は、コーティング又はプリントされた領域、ゾーン、又は範囲（以下「プリント領域」）を含み、プリント領域は、ヒートシールに対し耐性を示す。従って、プリント領域ではヒートシールが略形成されないか又は全く形成されないが、ヒートシールは、プリント領域外では形成され、その結果、全体的に被処理領域全体により弱いヒートシールがもたらされる。
【０００９】
本発明のバッグの１つの好適な変形では、第１の壁及び第２の壁は更に、封止可能領域以外の領域においてバッグ部壁にそれぞれ分離可能に取り付けられる。この変形では、第１の壁及び第２の壁は、バッグ部壁の幅と実質的に同じ広がりを有することが好適である。カバー部の幅は、バッグ部壁の幅より小さいべきではなく、むしろ大きいべきである。より好適には、第１の壁及び第２の壁は、バッグ部の側縁に近接する領域においてバッグ部壁に分離可能に取り付けられる。
【００１０】
この変形では、第１の壁及び第２の壁は、分離可能に取り付けられる領域においてバッグ部壁にそれぞれ着脱可能にヒートシールされる。
【００１１】
この変形において、第１の壁及び隣接バッグ部壁のうちの少なくとも１つの壁、及び／又は、第２の壁及び隣接バッグ部壁のうち少なくとも１つの壁は、第２の被処理領域を含み、第２の被処理領域は、分離可能に取り付けられる領域において、第１の壁及び第３の壁と第２の壁及び第４の壁のそれぞれの間のヒートシールの強度を制限するよう効果的であることがより好適である。好適には、第２の被処理領域は、プリント領域を含み、プリント領域は、ヒートシールに対し耐性を示す。
【００１２】
第１の及び／又は第２の被処理領域は、被処理領域において、交互のプリント領域及び非プリント領域を含みうる。プリント領域及び非プリント領域の相対面積は、必要に応じて壁が分離されることを可能にする適切な強度の壁間の結合を達成するための単純な実験によって当業者によって決定可能である。これは、例えば、壁が形成される材料及び使用される特定のヒートシール機器の特性に依存しうる。しかし、プリント領域の面積は、非プリント領域の面積より大きいことが好適である。
【００１３】
特に好適な構成において、プリント領域及び非プリント領域は、封止可能領域全体に及び／又は分離可能に取り付けられる領域全体にストライプを画成するよう交互にされる。好適な例では、一般的に、非プリント領域は、約２ｍｍ未満、好適には約０．５ｍｍ乃至１．５ｍｍの幅を有し、一般的に、プリント領域は、約１０ｍｍ未満、好適には約３ｍｍ乃至約８ｍｍ、より特別には約５ｍｍの幅を有する
本発明の１つの特に好適な形では、壁の全面が被処理領域を含む。例えば、第１の及び／又は第２の壁の内面全体が被処理領域を含みうる。同様に、第３の及び／又は第４の壁の外面全体が被処理領域を含んでもよい。（ある場合には）第１及び第２のクロージャフラップの外面も、被処理領域を含みうる。最も好適な構成では、第１の壁及び第２の壁の内面全体が被処理領域を含み、第３の壁及び第４の壁の面はコーティング又はプリントされず、ある場合にはクロージャフラップの面も処理されない。第１の壁及び第２の壁の内面全体が、前の段落において説明したようにストライプのパターンでプリント領域と非プリント領域が交互されることによってプリントされる又はコーティングされることが特に好適である。
【００１４】
代替の（又は追加の）構成では、被処理領域は、１つ以上の壁のエンボス加工された領域を含む。
【００１５】
本発明のもう１つの好適な形において、カバー部は、カバー部がバッグ部の底縁（下端）を超えて延在するようバッグ部より長く、第１の壁及び第２の壁は、長さ方向に延在する部分において互いに接合される。長さ方向に延在する部分では、第１の壁及び第２の壁は、それらの壁の縁において永久的な又は分離可能なヒートシールによって互いに接合されうる。
【００１６】
１つの代替の好適な構成では、カバー部の幅は、カバー部がバッグ部の側縁を超えて延在するようバッグ部の幅より大きく、第１の壁及び第２の壁は、幅方向に延在する部分において互いに接合される。例えば、幅方向に延在する部分では、第１の壁及び第２の壁は、それらの壁の縁において永久的な又は分離可能なヒートシールによって互いに接合されうる。必要不可欠ではないが、好適には、この構成において、第１の壁及び第２の壁は、封止可能領域以外の領域においてバッグ部壁にそれぞれ取り付けられない。
【００１７】
特に好適な実施例では、本発明のプラスチックバッグは更に、バッグ部の壁に画成される口の上に横たわり口を閉じる第１のクロージャフラップを更に含み、第１のクロージャフラップは、第１の取付け領域と、任意選択的に第２の取付け領域とを含み、第１の取付け領域は、第１のクロージャフラップの少なくとも一部が、口を露出するよう該剥離可能な取付け領域に亘ってバッグ部壁から剥がされうるようバッグ部壁に剥離可能に取り付けられ、第２の取付け領域は、剥離可能な取付け領域から間隔が置かれ、第２の取付け領域では、第１のクロージャフラップは更に、バッグ部壁に取り付けられる。
【００１８】
機能的に実質的に同じである代替案では、本発明のプラスチックバッグの実施例は更に、バッグ部の壁に画成される口の上に横たわり口を閉じる第１のクロージャフラップを更に含み、第１のクロージャフラップは、バッグ部壁に取り付けられる第１の領域を含み、第１のクロージャフラップは、第１のクロージャフラップの引き裂くことの可能な部分を画成する少なくとも１本の脆弱線と、任意選択的に第２の取付け領域とを含み、引き裂くことの可能な部分では、第１のクロージャフラップは、バッグ部壁に取り付けられず、引き裂くことの可能な部分は、口を露出するよう脆弱線に沿って引き裂くことによって開けることが可能であり、第２の取付け領域は、引き裂くことの可能な部分から間隔が置かれ、第２の取付け領域では、第１のクロージャフラップは更に、バッグ部壁に取り付けられる。
【００１９】
好適にはこれらの実施例では、第１のクロージャフラップは、封止可能領域内に延在する。この場合、第１の被処理領域は、バッグ部の被処理領域ではなく第１のクロージャフラップ上に形成されうる。即ち、バッグ部壁の外面上の第１の被処理領域は、もはや必要ではなく、その代わりに、第１のクロージャフラップ上に設けられる。１つの変形では、クロージャフラップが取り付けられるバッグ部の壁は、バッグ部のもう１つの壁より短くされえ、その場合、クロージャフラップが、クロージャフラップが取り付けられるバッグ部壁の延長部として機能する。
【００２０】
本発明のもう１つの実施例では、カバー部の第１の壁及び第２の壁のうちの１つ又は両方の壁は、バッグ部の開放端に近接するバッグ部に接着される。これは、上述したような封止可能領域におけるヒートシールに追加的であってもよい。この場合、カバー部は、封止可能領域の周縁部分においてバッグ部に接着されることが好適である。
【００２１】
本発明のもう１つの実施例では、プラスチックバッグは更に、使用時にバッグ部にアクセスするためにカバー部の第１の壁又は第２の壁内に画成される第２の封止可能な口を含む。この実施例は、カバー部がバッグ部を超えて幅方向に延在する場合（より具体的には、バッグ部が、第２の封止可能な口を介してカバー部から引き出されることが可能であるよう幅方向に延在する部分における第１の壁及び第２の壁の縁が永久的に互いに接合される場合）と、カバー部及びバッグ部が公称的に同じ幅を有する場合の両方に適用可能である。
【００２２】
この実施例の好適な変形では、プラスチックバッグは更に、第１の取付け領域と第２の取付け領域とを含む第２のクロージャフラップを更に含み、第１の領域は、クロージャフラップの少なくとも一部が、該剥離可能な取付け領域に亘ってカバー部壁から剥がされうるようカバー部壁に剥離可能に取り付けられ、第２の取付け領域は、剥離可能な取付け領域から間隔が置かれ、第２の取付け領域では、第２のクロージャフラップは更に、カバー部壁に取り付けられる。
【００２３】
機能的に実質的に同じである変形である代替案では、プラスチックバッグは更に、カバー部壁に取り付けられる第１の領域を含む第２のクロージャフラップを含み、第２のクロージャフラップは、第２のクロージャフラップの引き裂くことの可能な部分を画成する少なくとも１本の脆弱線と、第２の取付け領域とを含み、引き裂くことの可能な部分では、第２のクロージャフラップは、カバー部壁に取り付けられず、引き裂くことの可能な部分は、脆弱線に沿って引き裂くことによって開けることが可能であり、第２の取付け領域は、引き裂くことの可能な部分から間隔が置かれ、第２の取付け領域では、第２のクロージャフラップは更に、カバー部壁に取り付けられる。
【００２４】
プラスチックバッグは、使用時にバッグ部にアクセスするためにカバー部の第１の壁又は第２の壁に画成される第２の封止可能な口を更に含む場合、（上述した選択的な構成のうちのいずれかにおける）第２のクロージャフラップは、第２の口を覆うよう構成され、それにより、第２のクロージャフラップが剥がされる又は引き裂かれると、口が露出される。
【００２５】
第２のクロージャフラップの代案として、又は、第２のクロージャフラップに加えて、プラスチックバッグはバッグ部からカバー部を分離する際に、第１の壁又は第２の壁を掴むことを容易にするために、第１の壁又は第２の壁内に又は上に形成される又は第１の壁又は第２の壁に取り付けられるグリップ手段を更に含むことが好適である。
【００２６】
本発明の第２の面では、ｉ）請求項１乃至３２のうちいずれか一項記載のバッグを供給する段階と、ｉｉ）バッグの開放端を通して流動性を有する製品をバッグ部内に充填する段階と、ｉｉｉ）バッグ部をシールするようバッグ部壁を互いにヒートシールし、また、カバー部とバッグ部を互いに分離可能に取り付けるようバッグ部壁に第１の壁及び／又は第２の壁をヒートシールするよう封止可能領域にヒートシール手段を適用する段階を含む該流動性を有する製品を取り扱う方法を提供する。
【００２７】
好適には、この方法は更に、ｉｖ）封止可能領域においてバッグ部からカバー部を分離する段階と、ｖ）必要である場合には、封止可能領域以外においてバッグ部からカバー部を分離する段階と、ｖｉ）カバー部からバッグ部を引き出す段階を更に含む。
【００２８】
本発明の第３の面では、ｉ）第１及び第２の対向する壁を含むカバー部と、ｉｉ）その側縁及び底縁において接合される第３及び第４の対向する壁を含むバッグ部を含む製品と、ｉｉｉ）使用時にバッグ部の内部にアクセスするためにバッグ部の壁に画成される封止可能な口と、ｉｖ）カバー部の端部と、バッグ部の端部とを含み、口とは異なるシール領域を含み、第１の壁及び第２の壁は、バッグ部を取り囲むよう構成され、シール領域において、バッグ部は、バッグ部を製品で充填した後にシールされ、シール領域において、第１の壁及び第２の壁のうち少なくとも１つの壁の内面は、バッグ部の壁の隣接する外面に取り付けられ、該取付けは、バッグ部が、使用時には、シール領域におけるバッグ部の子シールを妥協することなくカバー部から分離可能であるような取付けであるプラスチックバッグを提供する。
【００２９】
好適には、シール領域において、カバー部の第１の壁及び第２の壁は、バッグ部壁をシールするヒートシールと同時に形成されるヒートシールによってバッグ部の各バッグ部壁の外面のうちの少なくとも１つの外面に取り付けられる。
【００３０】
好適には、第１の壁の内面、第２の壁の内面、及びバッグ部壁の外面のうちの少なくとも１つの面は、シール領域において被処理領域を含み、被処理領域は、カバー部とバッグ部との間のヒートシールの強度を制限するよう効果的である。
【００３１】
本発明のこの面の１つの好適な実施例は、バッグ部の壁に画成される口の上に横たわり口を閉じる第１のクロージャフラップを更に含み、第１のクロージャフラップは、第１の取付け領域と、任意選択的に第２の取付け領域とを含み、第１の取付け領域は、第１のクロージャフラップの少なくとも一部が、口を露出するよう該剥離可能な取付け領域に亘ってバッグ部壁から剥がされうるようバッグ部壁に剥離可能に取り付けられ、第２の取付け領域は、剥離可能な取付け領域から間隔が置かれ、第２の取付け領域では、第１のクロージャフラップは更に、バッグ部壁に取り付けられる。
【００３２】
機能的には本発明のこの面の実施例と実質的に同じである代替案では、プラスチックバッグは、バッグ部の壁に画成される口の上に横たわり口を閉じる第１のクロージャフラップを更に含み、第１のクロージャフラップは、バッグ部壁に取り付けられる第１の領域を含み、第１のクロージャフラップは、第１のクロージャフラップの引き裂くことの可能な部分を画成する少なくとも１本の脆弱線と、任意選択的に第２の取付け領域とを含み、引き裂くことの可能な部分では、第１のクロージャフラップは、バッグ部壁に取り付けられず、引き裂くことの可能な部分は、口を露出するよう脆弱線に沿って引き裂くことによって開けることが可能であり、第２の取付け領域は、引き裂くことの可能な部分から間隔が置かれ、第２の取付け領域では、第１のクロージャフラップは更に、バッグ部壁に取り付けられる。
【００３３】
１つの好適な変形では、第１のクロージャフラップは、封止可能領域内に延在する。好適には、この変形では、第１の被処理領域は、バッグ部の被処理領域ではなく第１のクロージャフラップ上に形成される。
【００３４】
より好適には、被処理領域は、第１の壁及び第２の壁のうち１つの壁又は両方の全体に亘って設けられ、また、好適には、バッグ部には被処理領域が設けられないことが好適である。
【００３５】
本発明をより良好に理解するために、また、本発明を実施する方法を示すために、例示的に過ぎないが、以下の図面を参照する。
【００３６】
図１乃至４を参照するに、この実施例のバッグ２は、第１及び第２の対向する壁１０、１２によって画成されるカバー部４と、第３及び第４の対向する壁１６、１８によって画成されるバッグ部１４を含む。バッグ部１４は、カバー部４より小さく、また、カバー部４内にある。カバー部４は、接着剤又はより好適には熱溶接又はヒートシールといった第１の壁と第２の壁を互いに接合するのに好適な手段によって対向する側縁２０及び下端（底辺）縁２２において封止される。対向する側縁２０は、永久的に又は（好適には）分離可能なように互いに接合される。バッグ部１４は、第３の壁と第４の壁を互いに接合するのに好適な手段によって対向する側縁２４と下端（底辺）縁２６において封止される。或いは、各第１の壁及び第２の壁と、第３の壁及び第４の壁は、平らにされたチューブとして一体に形成されうる。端２８において、第１の壁１０及び第２の壁１２は、互いに接合されない。第３の壁１６及び第４の壁１８は、バッグの開放端３０を画成し、壁１６、１８も、この端において互いに接合されない。図１乃至３では、端２８、３０は、説明を明確にするために互いから僅かにずれているように示す。しかし、好適には、端２８、３０は、同じ概念上の線上に実質的にある。
【００３７】
第１の壁１０は、口３２を含み、これは、第１の壁１０に形成されたスリットの形を取ることが好適である。口３２は、初めは、脆弱な線、例えば、ミシン目の線の形であり、これは、口３２を形成することが必要となった際に破かれる。最も好適には、クロージャフラップ３４が第１の壁１０上に設けられる。クロージャフラップ３４は、第１の壁１０の実質的に全幅に亘って延在し、従って、口３２の上に横たわり、また、口３２を閉じる。クロージャフラップ３４は、好適には適切な接着剤によって領域３６において第１の壁１０に取り付けられる。接着は、クロージャフラップ３４と第１の壁が領域３６において分離できないよう永久的でありうる。クロージャフラップ３４は、領域３８においても第１の壁１０に取り付けられる。領域３８は、クロージャフラップ３４が、第１の壁１０を実質的に又は有意に損傷することなく領域３８に亘って第１の壁１０から剥がされうるようにされる。より特別には、クロージャフラップ３４と第１の壁１０間の領域３８における付着（接着又はそれ以外であってもよい）は、第１の壁１０とクロージャフラップ３４が、バッグ部４の内容物を後に汚染しうる又は汚染する可能性を有するプラスチックの破片又はかけらを生成することなく互いから分離可能であることが重要である。領域３８は、溶接又はヒートシール領域でもあり得るが、最も好適には少なくとも１つの剥離可能な接着剤の領域である。領域３８は、１つの側縁２０からもう１つの側縁２０に中断なく延在することが最も好適である。図示する実施例では、領域３８は、剥離可能な接着剤の単線を含む。代替の構成では、複数の、特に、２又は３本の剥離可能な接着剤の線が設けられてもよい。剥離可能な接着剤の対応する領域（図示せず）が、領域３８から口３２の対向する側面上に設けられてもよい。脆弱な線４０は、クロージャフラップ３４の片面に設けられ、また、対応する脆弱な線（図示せず）が、クロージャフラップのもう片面に設けられる。口３２にアクセスするために、クロージャフラップ３４は、脆弱線４０に沿って裂かれ、領域３８から剥がされてめくられ、それにより、口３２が露出される。脆弱線４０について多数の代替の構成が可能である。例えば、脆弱線４０は、曲がっていても、又は、側縁２０に対して角度が付けられてもよい。又は、領域３８及び口３２の上方をクロージャフラップ３４の先端３４ａから延在し、クロージャフラップ３４のもう片面における先端３４ａに戻る円弧状の１つの脆弱線４０でありうる。
【００３８】
第１の壁と第２の壁が（永久的にではなく）分離可能に互いに取り付けられる、又は、バッグ部に分離可能に取り付けられる場合は、クロージャフラップは省略されてもよく、クロージャフラップ３４がある場合には、口３２が省略されてもよい。好適な変形では、クロージャフラップ３４と口３２の両方が存在する。
【００３９】
本発明のこの実施例によるバッグの一部の好適な構成では、バッグ部１４は、初めは、バッグ部をカバー部に封止可能な領域において接合する、以下に説明するヒートシール段階の前に、カバー部４及びバッグ部１４の所望の相対位置を維持するのに十分な接着性で、カバー部４に取り付けられる（例えば、接着される）。この接着は、ある場合には、バッグ部１４とカバー部４の相対位置を維持するために十分でなければならないが、必要なときにカバー部４とバッグ部１４の容易な分離を阻止するくらい十分であってはならない。従って、例えば、第３の壁１６の外面に、開放端３０に隣接する接着線が設けられうる。この接着線によって、第３の壁が、第１の壁１０の内面に接着される。同様に、第４の壁１８の外面には、開放端３０に隣接する接着線が設けられうる。この接着線によって、第４の壁１８が、第２の壁１２の内面に接着される。
【００４０】
本発明のこの実施例のバッグには、口３２の上方からカバー部４及びバッグ部１４の端２８、３０に向かって延在可能な封止可能領域４２が設けられる。この封止可能領域４２の実際の範囲は、製造業者の希望に応じて決定可能であるが、この実施例では、この封止可能領域４２は口３２を含まないことが重要である。封止可能領域では、ヒートシール手段をバッグに適用可能であり、それにより、第３の壁１６と第４の壁１８の内面が互いにヒートシールされる。このようにして、バッグ部１４は、内容物が入れられた後に密封且つ封止される。このヒートシール段階は更に、バッグ部１４の上縁を越えて延在する第１の壁１０と第２の壁１２の任意の部分も一緒に密封しうる。
【００４１】
第３の壁１６と第４の壁１８を互いに密封するヒートシール段階は更に、カバー部４をバッグ部１４にしっかりと取り付けるのにも効果的である。これは、カバー部４及びバッグ部１４は、通常の運搬及び取り扱いにおいては分離されることを阻止するよう十分にしっかりと取り付けられるが、カバー部４及びバッグ部１４が必要な時に手動で分離することができないほどしっかりと取り付けられないことによって本発明において達成される。
【００４２】
第１の壁１０を第３の壁１６に、第２の壁１２を第４の壁１８に接合するヒートシールの単純な適用は、カバー部４は、バッグ部１４から必要とされるときに簡単に分離可能ではないような強度の各壁間の接合をもたらすことが通常予想される。この点について、第１の壁１０、第２の壁１２、第３の壁１６、及び第４の壁１８についての材料の選択が、ヒートシールの強度に影響を与えることが可能であり、また、例えば、ヒートシールとの適合性があまりよくない第１及び第３の壁と、第２及び第４の壁についてそれぞれ材料を選択することによって所望の強度のヒートシールを達成可能である。このようにして、結果として得られるヒートシールの強度は、強すぎず、それにより、カバー部４は、必要な時にバッグ部１４から分離可能である。この点について材料の選択は、当業者の技術及び知識内である。
【００４３】
しかし、本発明の好適な実施例では、第１の壁１０、第２の壁１２、第３の壁１６、及び第４の壁１８のうち少なくとも１つには、少なくとも封止可能領域において、ヒートシールを阻害する被処理領域４４が設けられる。それにより、その強度を、必要な場合にカバー部４及びバッグ部１４が分離可能である度合いまで制限又は減少する。被処理領域４４は、第１の壁１０及び第２の壁１２の両方の内面に、又は、第３の壁１６及び第４の壁１８の両方の外面といったように壁１０、１２の内面に面する外面上に設けられることが好適である。
【００４４】
被処理領域４４は、バッグの他の特徴に悪影響が及ばない限り、封止可能領域におけるヒートシール（即ち、第３の壁及び第４の壁の内面間のヒートシール以外のヒートシール）を適切に弱めるために任意の妥当な形状を取ることが可能である。例えば、第１の壁１０及び第２の壁１２、第３の壁１６及び第４の壁１８は、ヒートシールを阻害するエンボス加工された領域が設けられてもよい。
【００４５】
本発明の特に好適な形では、被処理領域は、第１の壁１０及び第２の壁１２の内面全体に延在する。当然ながら、被処理領域の効果は、後でヒートシールされる領域のみにおいて明らかとなる。
【００４６】
しかし、より好適には、被処理領域４４は、コーティング又はプリントされた領域である。被処理領域４４は領域全体に亘ってプリントされないことが好適である。むしろ、被処理領域は、プリント領域４４Ａと非プリント領域４４Ｂ（図５）を含むことが好適である。プリント領域と非プリント領域との相対面積が、結果として得られるヒートシールの強度を決定する。即ち、一般的に、プリント領域の面積が大きいほどヒートシールは弱くなる。好適には、被処理領域は、例えば、側縁２０に対して斜めに配置されうる交互のストライプの形である交互のプリント領域及び非プリント領域を含む。本発明の任意の所与のバッグにおけるプリント領域と非プリント領域の相対面積は、ヒートシールの効果的な付着強度を達成するよう当業者によって簡単な実験によって決定可能である。一般的に、相対的に広いプリント領域が、被処理領域４４において相対的に細い非プリント領域と交互にされる。
【００４７】
本発明のバッグの使用時には、バッグ部１４は最初に、開放端３０を介してバッグ２の中に入れられるべき製品が充填される。所望量の製品がバッグ部１４内に入れられると、バッグは封止可能領域４２においてヒートシールによって閉じられる。即ち、封止可能領域４２におけるヒートシールは、第３の壁１６と第４の壁１８を互いに密封し、それにより、製品は、バッグ部１４内に密封され且つバッグ部１４から漏れ出ることが阻止される。同じ密封段階において、カバー部４及びバッグ部１４もヒートシールによって、第１及び第２の壁１０、１２の内面とバック部１４の外面との間で、封止可能領域４２において、互いに接合される。尚、このヒートシールは、充填前及び充填時にカバー部４及びバッグ部１４を互いに保持するのに十分であるカバー部４とバッグ部１４の初期の接着の追加であってもよい。封止可能領域４２におけるヒートシールは、例えば、第１の壁１０及び第３の壁１６と、第２の壁１２及び第４の壁１６との間の接合を形成しうる。ヒートシール段階後、バッグ及びその内容物は必要に応じて保管又は運搬されうる。バッグの内容物を取り出すことが必要な場合、第１の壁１０にある口３２が開かれる。図示する実施例によると、クロージャフラップ３４が、口３２を露出するよう脆弱線４０に沿って裂くことによって領域３８を通して剥がされてめくられる。カバー部４及びバッグ部１４は、次に、カバー部４とバッグ部１４間の封止可能領域４２（被処理領域４４を含む）におけるヒートシールを壊して離すことによって分離される。次に、バッグ部１４は、カバー部４の口３２を介して引き出されうる。或いは、被処理領域４４が設けられる範囲に依存して、第１の壁及び第２の壁が、単純にバッグ領域１４から剥がされてもよい。この段階において、バッグ部の第３の壁と第４の壁間のヒートシールは損なわれないままであり、それにより、内容物はバッグ部１４内に保持され続けている。バッグ部１４は、その後、内容物を取り出すために必要に応じて開封されうる。
【００４８】
より一層好適な実施例では、バッグ部１４にも口１３２と、口１３２の上に重なり口１３２を閉じるクロージャフラップ１３４が設けられる。クロージャフラップ１３４の構造は、クロージャフラップ３４の構造と基本的に同じである。従って、クロージャフラップ１３４は、領域１３６においてバッグ部１４に永久的に接着され、領域１３８においてバッグ部１４に剥離可能に接着されることが好適である。クロージャフラップ１３４にも脆弱線１４０が設けられる。従って、例えば、口３２を通してカバー部４からバッグ部１４を抜き出すことによってカバー部４とバッグ部１４を分離した後、バッグ部１４は、脆弱線１４０に沿ってクロージャフラップ１３４を裂き、口１３２を露出するよう剥離可能に取り付けられた領域１３８を通り剥がしてめくることによって開封可能である。口１３２を通して、バッグ部１４の内容物が分配されうる。口３２と同様に、口１３２は、最初は、ミシン目といったように脆弱な線として形成されうる。これは、開口１３２を形成するよう裂かれる。
【００４９】
クロージャフラップ１３４及び口１３２は、好適には、クロージャフラップ１３４と口１３２は、口３２とクロージャフラップ３４から離れたバッグ部の壁（１８）上に配置されるようバッグ部の第４の壁上に配置されうる。この構成では、被処理領域１４４は、クロージャフラップ１３４の領域上に、その第２の壁１２に近接する面において形成されうる。クロージャフラップ１３４上の被処理領域１４４は、第１の壁１０に近接する第３の壁１６上に形成された被処理領域４４に対し追加であることが好適である。しかし、クロージャフラップ１３４上の被処理領域は、第２の壁１２の内面が対応する被処理領域４４を有する場合には必要ではない。
【００５０】
図２Ａから分かるように、本発明のこの実施例によるバッグの１つの好適な構成における封止可能領域は、第３の壁１６及び第４の壁１８、第１の壁１０及び第２の壁１２、第１のクロージャフラップ３４及び第２のクロージャフラップ１３４を含む。
【００５１】
図２Ａ、２Ｂ、及び３は、開放端３０に略隣接するバッグの上部における口１３２及びクロージャフラップ１３４を示す。この構成は好適ではあるが必要不可欠ではない。口１３２は、封止可能領域以外の第３又は第４の壁１６、１８の任意の部分において形成され得、また、クロージャフラップ１３４は、口１３２が閉じられるよう第３の壁１６又は第４の壁１８に対応して位置付けられる。この構成では、クロージャフラップ１３４は、封止可能領域４２の完全に外側に配置されうる。
【００５２】
図２Ｂに示すような好適な構成では、第４の壁１８が、第３の壁１６より短くされ、それにより、第４の壁１８の上端の縁によって口１３２が画成される。次に、クロージャフラップが、領域１３８において第４の壁１８に剥離可能に取り付けられ、クロージャフラップ１３４の残りの部分は、第３の壁１６の内面に直接重ねられる。実際には、クロージャフラップの上部部分は、第４の壁１８の延長部となる。永久的に取り付けられる領域１３６は省略される。この構成では、内部に内容物を保持するようバッグ部を閉じるヒートシールは、第３の壁１６とクロージャフラップ１３４との間に形成されるが、第４の壁１８の任意の部分とは形成されない。本願における第３の壁１６と第４の壁１８との間にヒートシールを形成することについての言及は、そのコンテキストにおいて含まれないことを特別に求めない限りこの構成を適宜含むよう解釈すべきである。同様に、この構成では、第２の壁１２と第４の壁１８との間には封止可能領域におけるヒートシールはない。クロージャフラップ１３４が第４の壁１８の延長部として機能するので、封止可能領域における結合は、第２の壁１８の内面とクロージャフラップ１３４の外面との間にある。ここでも、第１又は第２の壁の内面とバッグ部壁の外面との間の結合（ヒートシール等）についての言及は、バッグ部のクロージャフラップが当該のバッグ部壁の延長部として機能するオプションを含むよう解釈すべきである。
【００５３】
第１の壁１０が第２の壁１２より短くされ、それによりクロージャフラップ３４が第１の壁１０に領域３８においてのみ接着され、クロージャフラップ３４の上部部分は第３の壁１６に直接重ねられる点において、クロージャフラップ３４及び第１の壁１０に対しても同様の構成が可能である。クロージャフラップ３４の上部部分は、実際には、第１の壁１０の延長部として機能し、使用時に、封止可能領域４２において第３の壁１６上の被処理領域４４にヒートシールされる。封止可能領域４２における第１の壁の部分及び／又は被処理領域との第１の壁の相互作用についての言及は適宜解釈されるべきである。
【００５４】
図４は、クロージャフラップの別の構成を示し、これは、クロージャフラップ３４及び１３４の何れか（及び以下に説明するクロージャフラップ３３４及び４３４）に適用されうる。この構成は、図１乃至３に示す構成と同じ結果を実現するが、剥離可能な接着剤を必要としない。図４の構成では、クロージャフラップ２３４は、口２３２のどちらかの側面上に曲線として延在する脆弱な線２４０を含む。「Ｖ字」又は「Ｕ字」型といった他の脆弱線も可能である。従って、領域２００は、脆弱線２４０によって境界付けられ、また、この領域において、クロージャフラップ２３４は、下にある壁（１０、１２、１６、又は１８）に全く接着されていない。領域２００の外側では、領域２０２では、クロージャフラップ２３４は、口２３２の上のクロージャを形成するよう下にある壁に接着されるか、溶接されるか、又は接合される。このために、クロージャフラップ２３４のその周縁についてのヒートシール又は接着を、図４の２０４において示す。従って、関連のバッグ部４、１４は、口２３２を露出するために脆弱線２４０に沿ってクロージャフラップ２３４を裂くことによって開けられうる。
【００５５】
図６乃至８を参照するに、本発明の第２の実施例のバッグは、カバー部３０４及びバッグ部３１４を含む。カバー部３０４及びバッグ部３１４は、最も好適には実質的に同じ幅であるが、図示する実施例では、カバー部３０４は、バッグ部３１４より長い。カバー部３０４は、第１の壁３１０及び第２の壁３１２を含み、バッグ部３１４は、第３の壁３１６及び第４の壁３１８を含む。バッグ部３１４の端３２８は、開放され（即ち、第３の壁３１６と第４の壁３１８は互いに接合されていない）、それによりバッグ部３１４が充填されることを可能にする。バッグ部３１４の側部３２０及び底部３２６において、第３の壁３１６と第４の壁３１８は、領域３２０Ａ及び３２６Ａにそれぞれ示すように、好適には、熱溶接によって互いに永久的に接合される。バッグ３０２の側部における領域３２０Ａでは、各第１の壁３１０及び第２の壁３１２は、下にあるバッグ部３１４に分離可能に取り付けられる。同様に、バッグ３０２の上端３２８において、第１の壁３１０及び第２の壁３１２は、領域３２８Ａにおいて下にあるバッグ部３１４に分離可能に取り付けられ、バッグ３０２の全幅に亘って延在する。領域３２０Ｂ及び３２２Ａにおいて、第１の壁３１０及び第２の壁３１２は、好適には分離可能に互いに取り付けられる。領域３２６Ａにおいて、第１の壁３１０及び第２の壁３１２は、必要ではないが、バッグ部３１４に分離可能に取り付けられうる。これらの領域３２０Ａ、３２０Ｂ、３２２Ａ、３２８Ａにおいて、第１の壁３１０及び第２の壁３１２は、好適には熱溶接によって取り付けられる。
【００５６】
図６及び７におけるバッグ部３１４は、第４の壁３１８より短い第３の壁３１６を含むとして示される。この第３の壁３１６の縁は、
【００５７】
【数１】
2007516131.tif 000003
よ示す。しかし、第３の壁３１６及び第４の壁３１８は、図８に示すように同じ長さであってもよい。
【００５８】
図６及び７において、クロージャフラップ３３４は、第３の壁３１６の上部部分上に重なり、バンド又は線、又は剥離可能な接着剤３３８によって第３の壁３１６に取り付けられる。クロージャフラップ３３４は実際には第３の壁３１６の延長部であり、領域３２８Ａにおいて第１の壁３１０に分離可能に取り付けられる。クロージャフラップは、脆弱線３４０（と図示しない反対の側面における対応する脆弱線）を含み、その脆弱線に沿ってクロージャフラップ３３４は裂かれることが可能であり、それにより、第３の壁３１６の上端
【００５９】
【数２】
2007516131.tif 000004
によって画成される口３３２を露出する。それにより、バッグ部３１４の内容物へのアクセスが与えられる。
【００６０】
バッグ３０２は、端３２８と口３３２との間に（口３３２は含まない）封止可能領域３４２を含む。封止可能領域３４２では、第３の壁３１６及び第４の壁３１８は、バッグの使用時には、その所望の内容物でバッグ部３１４を充填した後密封されて閉じられる。これは、ヒートシールによって達成されることが最も好適である。封止可能領域３４２では、本発明の第１の実施例の封止可能領域４２と機能的には同じである。
【００６１】
疑いを回避するために、図６では、領域Ｗは、第１の壁３１０を含む完全なバッグを示し、領域Ｘでは、第１の壁３１０はクロージャフラップ３３４を露出するよう切り取られ、領域Ｙでは、クロージャフラップは第３の壁３１６及び第４の壁３１８を露出するよう切り取られ、領域Ｚでは、第３の壁は、第２の壁３１２を露出するよう切り取られる。
【００６２】
上述したように、カバー部３０４の第１の壁３１０及び第２の壁３１２は、バッグ部３１４に分離可能に取り付けられ、それによりバッグ部を取り囲む。本発明の最も好適な変形において、分離可能性は、各第１の壁３１０及び第２の壁３１２と、第３の壁３１６及び第４の壁３１８、又はクロージャフラップ３３４との間の結合（好適にはヒートシール）の強度を阻害する１つ以上の被処理領域３４４を設けることによって達成される。被処理領域３４４は、本発明の第１の面による被処理領域４４と同様に設けられることが好適である。従って、被処理領域は、コーティング又はプリントされた領域であることが好適である。例えば、プリントされた領域は、第３の壁３１６及び第４の壁３１８と、封止可能領域３４２上に、領域３２０Ａ及び３２８Ａに対応する領域において（しかしこれらの領域より幾らか大きい範囲であることが好適である）、封止可能領域３４２に対応する領域と、任意選択的に領域３２０Ｂ及び３２６Ａに対応する領域と共に、設けられうる。即ち、被処理領域３４４は、第１の壁３１０及び第２の壁３１２が、第３の壁３１６及び第４の壁３１８とクロージャフラップ３３４に取り付けられる領域のみに設けられる。
【００６３】
しかし、被処理領域３４４を第１の壁３１０及び第２の壁３１２の内面全体（即ち、バッグ部３１４に対向する第１の壁３１０及び第２の壁３１２の表面全体）に亘って設けることがよりバッグの製造の観点からより好都合であり且つより好適である。これは、バッグの製造時及び後の封止可能領域のヒートシールの間に、被処理領域３４４において様々な壁を互いに接合するヒートシールがあるか否かに関する不確かさがないことを意味する。当然ながら、被処理領域３４４は、バッグ部の内面を画成する第３の壁３１６及び第４の壁３１８の内面上に絶対に形成されない。最も好適には、第１の壁３１０及び第２の壁３１２が透明材料から形成される場合、被処理領域、特にプリント領域も実質的に透明である。
【００６４】
本発明のこの実施例におけるバッグの好適な形式では、領域３２８Ａ、好適には、領域３２０Ａと、任意選択的に領域３２０Ｂ及び３２２Ａは、製造時に、最終的に必要とされるよりも幾らか広く形成されうる。このような領域は、従って、例えば自動ナイフ又は他の切断装置を使用して少量の余剰の材料を除去するようトリミングされうる。これは、様々な壁間と、これらの領域における壁とクロージャフラップ間の接合がバッグの真端まで延在することを確実にする。このことは、バッグ部３１４の内容物を汚染しうる異物又は伝染性因子（バクテリア等）の潜伏場所を提供しうる隙間、凹部、溝等が残されないことを確実にする。このことは、第１の壁３１０がクロージャフラップ３３４（図７）又は第３の壁３１６（図８）にそれぞれ接合され、また、第２の壁３１２が第４の壁３１８に接合される領域３２８Ａにおいて特に重要である。何故なら、これらの領域は、製品がバッグ部３１８内に充填される間に製品に直接露出されるからである。
【００６５】
本発明の第２の面のバッグの変形を、図８に示し、ここでは、図７の特徴に対応する又は類似する特徴は、同様の参照番号が与えられ、また、異なる特徴は、「４」を付けた参照番号が与えられる。図８では、追加のクロージャフラップ４３４がバッグ３０２の外壁（第１の壁３１０又は第２の壁３１２）上に設けられる。この構成は、先行する段落にて示したように、バッグの縁は、様々な壁とクロージャフラップ間の結合が、バッグ３０２の真端、最も特に、端３２８まで延在するよう製造時にトリミングされる場合に特に所望される。様々な壁及びクロージャフラップは、バッグ３０２の真端まで接合されるので、ユーザが、第１の壁３１０及び第２の壁３１２をバッグ部３１４から離すために壁３１０、３１２のうちの１つを獲得する又は掴むことが困難でありうる。追加のクロージャフラップ４３４は、クロージャフラップ４３４の裂くことが可能な又は剥がすことが可能な一部を裂く又は剥がしてめくる際に容易に獲得する又は掴むことを可能にし、ユーザは、バッグ部３１４から第１の壁３１０及び第２の壁３１２を分離させるよう互いから各壁を引く際に掴むための基板を有する。更なる好適な変形では、クロージャフラップ４３４の下にある壁（第１の壁３１０又は第２の壁３１２）には、スリットの形又はより好適にはクロージャフラップ４３４が剥がされるか又は裂かれる際に又は後に裂かれうる脆弱な線の形の口４４２が設けられ得る。口４４２が開けられると、ユーザには、互いから壁３１０、３１２を引き離すよう引くために直接掴むことのできる壁（３１０又は３１２）の縁が与えられる。
【００６６】
代案であるが本発明のあまり好適ではない変形では、壁３１０、３１２のうちの１つ又は両方にグリップタブ、ループなどが設けられ得、ユーザはこれらを、バッグ部３１４からカバー部３０４を分離するために掴むことが可能である。
【００６７】
上述したように、図８は、バッグ部３１４の壁３１６、３１８が等しい長さを有する更なる変形を示す。バッグ部３１４の内部へのアクセスの為の口４３２は、従って、壁３１６におけるスリットとして形成され、このスリットは、クロージャフラップ３３４によって閉じられる。
【００６８】
本発明のこの実施例のバッグの使用時に、バッグは、第１の壁及び第２の壁それぞれを第３の壁及び第４の壁にそれらの縁においてヒートシールすることによって製造されることが好適である。第１の壁及び第２の壁は、それらの内面全体に亘って被処理領域を含むので、壁のヒートシールは、必要なときにそれらが分離可能であるようにする。第３の壁及び第４の壁もそれらの縁において、第１の壁及び第２の壁の第３の壁及び第４の壁へのヒートシールと同時に、又は別個に、ヒートシールされる。製造時において、バッグの上端３２８において第３の壁と第４の壁との間にはヒートシールは形成されない。バッグ部３１４が次に所望の内容物で充填される。ヒートシールは、第３の壁と第４の壁を接合するよう封止可能領域に適用され、それによりバッグ部内に内容物を密封する。ヒートシールは更に、第１の壁と第２の壁をそれぞれ第３の壁と第４の壁に接合し、第１の壁及び第２の壁の被処理領域は、この接合点が離脱可能であるようにする。バッグは次に必要に応じて保管及び／又は運搬される。バッグ部３１４の内容物へのアクセスが必要なとき、第１の壁３１０及び第２の壁３１２は、ある場合には、クロージャフラップ４３４によって、バッグ部から剥がされる。バッグ部３１４の内容物へのアクセスは、クロージャフラップ３３４を剥がすか又は裂き、開いた口３３２によって得られ、その口３３２を介して製品が分配される。
【００６９】
従って、本発明の第２の実施例による特に好適なプラスチックバッグは、
ｉ）それらの側部の縁と底部の縁において接合された第３及び第４の対向する壁と、そこから内容物を充填しうる開放端とを含むバッグ部と、
ｉｉ）第３及び第４の壁と幅において実質的に同じ広がりを有し、バッグ部を囲むよう構成され、それらの側縁及び上縁において第３及び第４の壁に取り付けられる第１及び第２の対向する壁を有するカバー部と、
ｉｉｉ）使用時に、バッグ部の内部にアクセスするためにバッグ部の壁に画成される封止可能な口と、
ｉｖ）カバー部の端部と、バッグ部の開放端に近接するバッグ部の端部を含む口とは異なる封止可能領域であって、この封止可能領域においてバッグ部は充填後に密封閉鎖されうる、封止可能領域と、
を含み、
（ａ）封止可能領域において、各第１及び第２の壁の内面は、バッグ部の壁の隣接する外面に取付け可能であり、
（ｂ）第１及び第２の壁のそれぞれの内面は、交互のプリント領域及び非プリント領域を与えるよう処理され、
第１及び第２の壁のバッグ部への取付けは、バッグ部が、使用時には、封止可能領域におけるバッグ部の密封を妥協することなくカバー部から分離可能であるようにする。
【００７０】
バッグ部は、口を覆うクロージャフラップを含みうる。この口は、バッグ部の内部へのアクセスを与える。この場合では、第１の壁及び第２の壁のうちの１つはクロージャフラップの外面に取り付けられる。クロージャの一部も、封止可能領域内にありうる。
【００７１】
本発明の第１の実施例及び第２の実施例の両方の別の変形では、第３及び／又は第４の壁に複数の小さな孔３６０（図６）、即ち、せいぜい大きくて約１ｍｍ及び好適には相当に小さい直径のピンホールが設けられてもよい。これらの孔は、バッグ部の内部から空気が出ることを可能にするよう設けられる。孔のサイズ及び数は、第３の壁及び第４の壁（ある場合には、クロージャフラップ）と、第１の壁及び第２の壁との間の空間に徐々に空気が出るよう選択される。空気は次に、その空間から外部に漏れ出るか又は徐々に出る。このようにして、充填されたバッグが荷台に積み重ねられても本発明のバッグの中には空気が保持されない。当然、バッグ内に含まれた製品はバッグ内に保持され、ピンホールを実質的に通過することはない。空気が出ることを可能にすることによって、充填されたバッグは、より安定して積み重ねることが可能であり、また、スタックの高い方でバッグによって発生される圧力下でも破裂に対してあまり弱くないようにする。
【００７２】
本発明のこの面では、
ｉ）それらの縁及び基部において接合される第３及び第４の壁と、開放上端によって画成される内側バッグ部と、
ｉｉ）それらの縁及び基部において接合される第１及び第２の壁によって画成され、バッグ部を取り囲むカバー部と、
ｉｉｉ）カバー部がバッグ部に接合される少なくとも１つの領域と、
を含むプラスチックバックであって、第３及び／第４の壁は更に複数のピンホールを含み、これらの複数のピンホールによって、内容物が充填されるときにバッグ部からカバー部とバッグ部との間の空間に空気が徐々に出るプラスチックバッグを提供する。
【００７３】
カバー部とバッグ部は、互いに分離可能に接合されることが好適である。この点について、壁のうち少なくとも１つは、より好適には、第１及び第２の壁が上述したような被処理領域を含むことが好適である。本発明のこの面のバッグは更に、上述したようなクロージャ部を含むことが好適である。
【図面の簡単な説明】
【００７４】
【図１】本発明の１つの実施例によるバッグを示す部分的に切り取った平面図である。
【図２Ａ】図１の線ＩＩ−ＩＩに沿っての断面図である。
【図２Ｂ】クロージャフラップの構成における変形を示す図２Ａに類似する図である。
【図３】裏面からの図１のバッグを示す部分的に切り取った平面図である。
【図４】本発明のバッグのクロージャフラップの代替の構成を示す単純化された平面図である。
【図５】本発明のカバー部又はバッグ部壁上の被処理領域と処理されていない領域を示す図である。
【図６】本発明の第２の実施例によるバッグを示す部分的に切り取られた平面図である。
【図７】図６の線ＶＩＩ−ＶＩＩに沿っての断面図である。
【図８】バッグの外部上の更なるクロージャフラップを示す図７に類似する図である。
【図１】
2007516131.tif 000005
2007516131.tif 000006
【図３】
2007516131.tif 000007
【図４】
2007516131.tif 000008
【図５】
2007516131.tif 000009
【図６】
2007516131.tif 000010
【図７】
2007516131.tif 000011
【図８】
2007516131.tif 000012
【国際調査報告】
2007516131.tif 000013
2007516131.tif 000014
2007516131.tif 000015